(57)【要約】      （修正有）【課題】擦布の使用率を高めると共にコストを下げる。  【解決手段】ラビング装置２は輸送装置１のゴム輪１１の上下位置にそれぞれ一組設けられ、ラビング装置２は案内板２１を具え、且つ案内板２１に、案内板２１を左右及び上下に移動させる駆動装置（図示せず）が接続されている。該案内板２１の一側の両端にそれぞれ擦布巻軸２２が設けられ、並びに擦布巻軸２２の下方に案内輪２３が設けられている。そのうち一つの擦布巻軸２２には擦布２２１が巻き付けられ、並びに擦布巻軸２２の下方に設置された案内輪２３を介してもう一つの擦布巻軸２２に延伸され、並びに擦布２２１の上方が案内板２１に伴い移動するかき板２４に押さえられ、且つかき板２４の下方に複数の突出部２４１が設けられている。【選択図】図１
0003102124.tif 000002
【実用新案登録請求の範囲】
【請求項１】
ガラスを駆動可能な複数組のゴム輪が設けられた輸送装置を具え、ガラス或いは液晶パネル表面の掃除に使用される往復式上下ラビングマシンにおいて、
該輸送装置の上下位置にそれぞれ一組のラビング装置が設けられ、該ラビング装置が左右及び上下移動可能な案内板を具え、並びに該案内板の一側の両端にそれぞれ擦布巻軸が設けられ、そのうち一つの擦布巻軸に擦布が巻き付けられ、該擦布が延伸されてもう一つの擦布巻軸に至り、並びに擦布の上方に案内板に伴い移動するかき板が設けられたことを特徴とする、往復式上下ラビングマシン。
【請求項２】
請求項１記載の往復式上下ラビングマシンにおいて、ラビング装置に設けられた擦布巻軸の下方に案内輪が設置されたことを特徴とする、往復式上下ラビングマシン。
【請求項３】
請求項１記載の往復式上下ラビングマシンにおいて、かき板の表面に複数の突出部が設けられたことを特徴とする、往復式上下ラビングマシン。
【考案の詳細な説明】
【技術分野】
【０００１】
本考案は一種の往復式上下ラビングマシンに係り、特に、ガラス或いは液晶パネル表面を掃除するのに用いられるラビングマシンであり、輸送装置とラビング装置で組成され、ラビング装置がガラス表面を掻いて掃除する時、案内板両側に設けられた擦布巻軸間のスクレーパーにより、擦布の使用率を増し、消耗品コストを減らすことができる、往復式上下ラビングマシンに関する。
【背景技術】
【０００２】
現在、フラッチパネルディスプレイの研究領域にあって、液晶ディスプレイの発展は最も成熟し、液晶の特殊な光電性質により、それは多くの領域での無限の応用の可能性を有している。液晶素子はいずれも表面配向により、液晶分子を一致した方向に配列させる必要がある。現在平面配向に一般に採用されている方法はガラス表面に高分子薄膜を塗布し、さらにラビングによりラビング方向に沿った配向を形成することである。この方法は便利であるが、ラビング過程で発生する顆粒や静電気の残留等の欠点を有しており、このために歩留りアップが制限される。且つ完成後には紫外線を用いて樹脂でシールして密封状態を形成するが、シール時に樹脂が周囲に飛散する状況が発生しがちで、クリーニング装置でガラス表面を掃除しなければならない。
【０００３】
すでに、ガラス表面に残留する顆粒や残存する樹脂の問題を解決するため、図６に示されるようなラビングマシンが提供されている（特許文献１）。このラビングマシンには輸送装置Ａが設置され、且つ輸送装置Ａは前コンベヤベルトＡ１及び後コンベヤベルトＡ２を具え、並びに前コンベヤベルトＡ１の上方に、上下移動可能な上ラビングロールＢ１が設置され、後コンベヤベルトＡ２の下方に上下移動可能な下ラビングロールＢ２が設けられ、且つ上ラビングロールＢ１と下ラビングロールＢ２の表面にラビング可能なサンドペーパーが設けられている。ガラスＣが輸送装置Ａに設置された前コンベヤベルトＡ１により上ラビングロールＢ１の下方に至ると、該上ラビングロールＢ１は下降し並びに回転してガラスＣの上表面を掃除し、並びに水をガラスＣと上ラビングロールＢ１の表面に噴射し、且つ前コンベヤベルトＡ１が続けてガラスＣを駆動し、ガラスＣに完全に上ラビングロールＢ１を通過させ、ガラスＣが上ラビングロールＢ１を通過し並びに後コンベヤベルトＡ２に進入し、並びに下ラビングロールＢ２の上方に至ると、該下ラビングロールＢ２が上昇し、並びに回転してガラスＣの下表面を掃除し、且つ後コンベヤベルトＡ２が続けてガラスＣを駆動してガラスＣに完全に下ラビングロールＢ２を通過させ、こうしてガラスＣの表面の掃除を完成する。
【０００４】
上述の周知のラビング装置は、上下のラビングロールの表面にサンドペーパーが接合され且つ回転させられることにより、ガラス表面を掃除するが、上ラビングロールＢ１及び下ラビングロールＢ２の表面に設けられたサンドペーパーが掃除機能を具備しなくなると、全体を交換しなければならず、消耗品コストが増し、もしガラスＣの幅がラビングロールＢの幅より小さければ、ラビングロール表面に設けられたサンドペーパーは完全には利用されず、且つガラスＣの幅がラビングロールの幅より大きい時は、ラビングロールを交換しなければならず、使用上の不便を形成した。
【０００５】
【特許文献１】台湾実用新案公告第３６８９０５号明細書
【考案の開示】
【考案が解決しようとする課題】
【０００６】
本考案の主要な目的は、ラビング装置の左右移動によりガラスに対して表面のかき取り掃除を行なう時、かき板の表面に設けた突出部により案内板両側の擦布巻軸に巻かれた擦布上方を押さえ、これによりガラス表面を掃除し、且つ擦布巻軸の回転により突出部末端に順に擦布の全ての表面を押圧させ、これにより擦布の使用率を高めると共にコストを下げることにある。
【課題を解決するための手段】
【０００７】
請求項１の考案は、ガラスを駆動可能な複数組のゴム輪が設けられた輸送装置を具え、ガラス或いは液晶パネル表面の掃除に使用される往復式上下ラビングマシンにおいて、
該輸送装置の上下位置にそれぞれ一組のラビング装置が設けられ、該ラビング装置が左右及び上下移動可能な案内板を具え、並びに該案内板の一側の両端にそれぞれ擦布巻軸が設けられ、そのうち一つの擦布巻軸に擦布が巻き付けられ、該擦布が延伸されてもう一つの擦布巻軸に至り、並びに擦布の上方に案内板に伴い移動するかき板が設けられたことを特徴とする、往復式上下ラビングマシンとしている。
請求項２の考案は、請求項１記載の往復式上下ラビングマシンにおいて、ラビング装置に設けられた擦布巻軸の下方に案内輪が設置されたことを特徴とする、往復式上下ラビングマシンとしている。
請求項３の考案は、請求項１記載の往復式上下ラビングマシンにおいて、かき板の表面に複数の突出部が設けられたことを特徴とする、往復式上下ラビングマシンとしている。
【考案の効果】
【０００８】
本考案は、ラビング装置の左右移動によりガラスに対して表面のかき取り掃除を行なう時、かき板の表面に設けた突出部により案内板両側の擦布巻軸に巻かれた擦布上方を押さえ、これによりガラス表面を掃除し、且つ擦布巻軸の回転により突出部末端に順に擦布の全ての表面を押圧させ、これにより擦布の使用率を高めると共にコストを下げることができる。
【考案を実施するための最良の形態】
【０００９】
図１に示されるように、本考案は輸送装置１とラビング装置２で組成されている。
【００１０】
該輸送装置１にはガラス３を駆動できる複数組のゴム輪１１が設けられている。
【００１１】
該ラビング装置２は輸送装置１のゴム輪１１の上下位置にそれぞれ一組設けられ、ラビング装置２は案内板２１を具え、且つ案内板２１に、案内板２１を左右及び上下に移動させる駆動装置（図示せず）が接続されている。該案内板２１の一側の両端にそれぞれ擦布巻軸２２が設けられ、並びに擦布巻軸２２の下方に案内輪２３が設けられている。そのうち一つの擦布巻軸２２には擦布２２１が巻き付けられ、並びに擦布巻軸２２の下方に設置された案内輪２３を介してもう一つの擦布巻軸２２に延伸され、並びに擦布２２１の上方が案内板２１に伴い移動するかき板２４に押さえられ、且つかき板２４の下方に複数の突出部２４１が設けられている。
【００１２】
図２、３、４は、本考案のガラス表面のクリーニング動作表示図である。ガラス３が輸送装置１に送られると、輸送装置１に設けられたゴム輪１１が上下の挟み付けと回転によりガラス３を駆動し、ガラス３が輸送装置１によりラビング装置２の下方に至ると、ゴム輪１１が回転を停止し、二つの案内板２１がそれぞれ上昇及び下降して擦布２２１をガラス３の表面に保持し、且つかき板２４が上向き及び下向きに押圧して圧力を形成し、かき板２４に設けられた突出部２４１が擦布２２１を押圧する。この時、二つの案内板２１はそれぞれ反対方向を以て左右に移動し、擦布２２１にガラス３表面を掃除させ、ガラス３の上下二側が受ける横向きの摩擦力は案内板２１の反対方向の左右移動により打ち消され、並びにゴム輪１１の上下挟持によりガラス３の表面掃除時の移動が防止され、また水がガラス３と擦布２２１の表面に噴射され、且つ案内板２１の移動の距離が隣り合う二つの突出部２４１の間の距離に等しいものとされる。掃除完成時に該ラビング装置２は動作停止し、且つ輸送装置１に設けられたゴム輪１１が再度ガラス３を駆動し、並びに一つの擦布２２１の幅の距離を移動し並びに停止し、ラビング装置２が再度かき取り動作を行ない、このように、完全にガラス３表面がきれいになるまで反復する。且つ、ガラス３表面がきれいになった時、該案内板２１はもとの位置に回復する。
【００１３】
図５に示されるのは本考案の擦布交換移動の側面図である。図示されるように、擦布２１１がある程度使用されてかき取り機能が喪失すると、擦布巻軸２２は一つの突出部２４１の末端の幅の距離移動したことになり得て、且つ擦布２２が数回回って累積距離が隣り合う二つの突出部２４１の間の距離と等しくなると、擦布巻軸２が一つのかき板２４の距離を回転したことになり、且つ新たに擦布巻軸の回転距離の計算を開始する。
【００１４】
さらに、ガラス３の幅がかき板２４の幅より大きい時は、ただラビング装置２の左右移動距離を調整すればよく、他の部品の設置を改変する必要はない。ゆえに、本考案の往復式上下ラビングマシンは使用前に、かき板２４を、ガラス３中の最も小さい幅のサイズに調整し、その作用中にいかなる設備の交換も不要であるようにする。
【００１５】
本考案の往復式上下ラビングマシンは周知の技術に対する改善のポイントは以下のとおりである。
１．本考案はかき板２４に設けられた突出部２４１を利用して案内板２１両側の擦布巻軸２２に巻かれた擦布２２１の上方を押さえてガラス３表面を掃除し、且つ擦布巻軸２２の回転により突出部２４１の末端に順に擦布２２１の全ての表面を押圧させ、これにより擦布２２１の使用率を高め、製造コストを下げる。
２．本考案は使用前に先にかき板２４を掃除するガラス３の最少幅の寸法に調整でき、その作用中にいかなる設備の交換も不要とし、ラビング装置２の左右移動の距離のみ調整すれば、異なるサイズのガラス３の掃除が行なえるようにし、これにより作業時間とコストを減らすことができる。
【００１６】
総合すると、本考案の往復式上下ラビングマシンは使用時に顕著な機能の増進を有し、新規性、進歩性及び産業上の利用価値を具備している。なお、本考案に基づきなしうる細部の修飾或いは改変は、いずれも本考案の請求範囲に属するものとする。
【図面の簡単な説明】
【００１７】
【図１】本考案の斜視図である。
【図２】本考案のガラス表面かき取りの動作表示図である。
【図３】本考案のガラス表面かき取りの動作表示図である。
【図４】本考案のガラス表面かき取りの動作表示図である。
【図５】本考案の擦布交換移動の側面図である。
【図６】周知の技術の斜視図である。
【符号の説明】
【００１８】
１  輸送装置
１１  ゴム輪
２  ラビング装置
２１  案内板
２２  擦布巻軸
２２１  擦布
２３  案内輪
２４  かき板
２４１  突出部
３  ガラス
Ａ  輸送装置
Ａ１  前コンベヤベルト
Ａ２  後コンベヤベルト
Ｂ１  上かきロール
Ｂ２  下かきロール
Ｃ  ガラス
【図１】
0003102124.tif 000003
【図２】
0003102124.tif 000004
【図３】
0003102124.tif 000005
【図４】
0003102124.tif 000006
【図５】
0003102124.tif 000007
【図６】
0003102124.tif 000008